(57)【要約】      （修正有）【課題】第一コネクタの第一テール部と第二コネクタの第二テール部の回路基板に対する実装性が良好なメモリカード用コネクタを提供する。【解決手段】第一メモリカードを挿脱可能な第一収納部を有し、第一ハウジング及び第一収納部に挿入した第一メモリカードの端子と電気的に導通する第一コンタクト１７〜２４を有する第一コネクタ１１と、第二メモリカードを挿脱可能な第二収納部を有し、第二ハウジング９０、及び第二収納部に挿入した第二メモリカードの端子と電気的に導通する第二コンタクト７７〜８２を有する第二コネクタ７０と、を備え、第一コンタクトが第一ハウジングの第一側面３４の外周側に位置しかつ回路基板に対して実装可能な第一テール部１７ｂ〜２４ｂを備え、第二ハウジングが第二側面の外周側に位置しかつ回路基板に対して実装可能な第二テール部７７ｂ〜８４ｂを備える。【選択図】図４
2014146432.tif 000002
【特許請求の範囲】
【請求項１】
第一メモリカードを挿脱可能な第一収納部を有しかつ正方形または矩形をなす第一ハウジング、及び該第一収納部に挿入した上記第一メモリカードの端子と電気的に導通する第一コンタクトを有する第一コネクタと、
第二メモリカードを挿脱可能な第二収納部を有しかつ正方形または矩形をなす第二ハウジング、及び該第二収納部に挿入した上記第二メモリカードの端子と電気的に導通する第二コンタクトを有する第二コネクタと、
を備え、
上記第一コネクタと上記第二コネクタを互いの厚み方向に重ねたコネクタにおいて、
上記第一コンタクトが、上記厚み方向に見たときに該第一ハウジングの一つの側面である第一側面の外周側に位置し、かつ回路基板に対して実装可能な第一テール部を備え、
上記第二ハウジングが、上記厚み方向に見たときに上記第一側面とは別の箇所に位置する第二側面を有し、
上記第二ハウジングが、上記厚み方向に見たときに上記第二側面の外周側に位置し、かつ上記回路基板に対して実装可能な第二テール部を備えることを特徴とするメモリカード用コネクタ。
【請求項２】
請求項１記載のメモリカード用コネクタにおいて、
上記第二側面が、上記厚み方向に見たときに上記第一側面と直交する側面であるメモリカード用コネクタ。
【請求項３】
請求項１または２記載のメモリカード用コネクタにおいて、
上記回路基板、上記第一コネクタ、及び上記第二コネクタの順で当該三部材を重ね、
上記第一収納部及び上記第二収納部が、上記第一ハウジング及び上記第二ハウジングの同じ方向に位置する側面に形成した、上記第一メモリカードと上記第二メモリカードをそれぞれ挿脱するための開口部を有し、
上記第一コネクタが、上記厚み方向に見たときに上記開口部とは別の箇所に位置する上記第一側面を有し、
上記第二コネクタが、上記厚み方向に見たときに上記開口部及び上記第一側面とは別の箇所に位置する一対の上記第二側面を有するメモリカード用コネクタ。
【請求項４】
請求項１から３のいずれか１項記載のメモリカード用コネクタにおいて、
上記第一ハウジングと上記第二ハウジングに、互いに係合することにより上記第一コネクタと上記第二コネクタを重ねた状態に保持するロック手段を設けたメモリカード用コネクタ。
【発明の詳細な説明】
【技術分野】
【０００１】
本発明は、ｍｉｃｒｏＳＤカード、ＳＩＭカード、及びｍｉｃｒｏＳＩＭカード等のメモリカードを挿脱可能なコネクタに関し、特に二枚のメモリカードを挿脱可能なメモリカード用コネクタに関する。
【背景技術】
【０００２】
この種のメモリカード用コネクタの従来技術としては、例えば特許文献１に開示されたものがある。
このメモリカード用コネクタは、第一コネクタと第二コネクタを具備しており、両者を互いの厚み方向に重ねて構成したものである。
第一コネクタは、第一メモリカードを挿脱可能な第一収納部を有しかつ全体形状が矩形をなす第一ハウジングと、第一収納部に挿入した第一メモリカードの端子と電気的に導通する第一コンタクト群と、を備えている。一方、第二コネクタは、第二メモリカードを挿脱可能な第二収納部を有しかつ第一ハウジングと同じ全体形状の第二ハウジングと、第二収納部に挿入した第二メモリカードの端子と電気的に導通する第二コンタクト群と、を備えている。
【０００３】
第一コネクタの第一コンタクト群は、第一コネクタ及び第二コネクタの厚み方向に見たときに第一ハウジングの一つの側面である第一側面の外周側に位置し、かつ回路基板に対して実装可能な第一テール部を備えている。また、第二ハウジングは上記第一側面と同じ側に位置する（上記第一側面と平行な）第一側面を備えており、第二コネクタの第二コンタクト群は、上記厚み方向に見たときに第二ハウジングの第一側面の外周側に位置し、かつ回路基板に対して実装可能な第二テール部を備えている。
第一コネクタの第一テール部群の一部と第二コネクタの第二テール部群の一部どうしは（二つの第一側面の長手方向に沿って）互いに交互に並んでいる。
【０００４】
第一コネクタ及び第二コネクタは回路基板に対して実装可能である。具体的には、回路基板、第一コネクタ、及び第二コネクタの順で当該三部材を重ねた状態で、第一コンタクト群の端部に形成した各テール部及び第二コンタクト群の端部に形成した各テール部を回路基板に対してはんだ付けすることにより実装可能である。
【先行技術文献】
【特許文献】
【０００５】
【特許文献１】特開２００３−３２３９４３号公報
【発明の概要】
【発明が解決しようとする課題】
【０００６】
第一コネクタの第一テール部群の一部と第二コネクタの第二テール部群の一部どうしが互いに交互に並んでいるので、隣接する第一テール部と第二テール部の間隔（ピッチ）は極めて狭い。そのため第一テール部と第二テール部の回路基板に対する実装性が低下し易い。即ち、画像認識手段による第一テール部と第二テール部の画像認識（位置認識）が難しくなるので、第一テール部及び第二テール部と回路基板の間ではんだ付け不良が生じ易い。
【０００７】
また、交互に並んだ第一コネクタの第一テール部（第一コンタクト）と第二コネクタの第二テール部（第二コンタクト）は互いに別形状であるため、回路基板に対する第一テール部と第二テール部のアライメント調整（第一テール部及び第二テール部を同一平面上に位置させるための調整）が困難である。即ち、第一テール部から回路基板までの（回路基板の板厚方向の）距離（隙間）と第二テール部から回路基板までの距離との間には差（段差）が生じ易い。そのため、どちらか一方のテール部は回路基板に当接するが、他方のテール部は必ず回路基板と離間することとなるので、離間距離が大きい場合は当該他方のテール部と回路基板の間ではんだ付け不良が発生する場合がある。
【０００８】
また、メモリカード用コネクタ（メモリカード）が小型の場合に、第一テール部と第二テール部を交互に並べようとすると、隣接する第一テール部と第二テール部の間隔（ピッチ）が極めて狭くなるので、第一テール部と第二テール部の回路基板への実装が困難になる。そのため特許文献１の技術思想は小型のメモリカード用コネクタに適用するのが難しい。
さらに第一コネクタの第一テール部群の一部と第二コネクタの第二テール部群の一部どうしを交互に並べるためには、第一テール部と第二テール部の一方を複雑な形状（例えばクランク形状）に加工しなければならない場合があるので、コネクタの製造コストが高くなり易い。
【０００９】
本発明の目的は、第一コネクタと第二コネクタを重ねた構造でありながら、コネクタが小型の場合であっても第一コネクタの第一テール部と第二コネクタの第二テール部の回路基板に対する実装性が良好で、製造コストを低く抑えることが可能なメモリカード用コネクタを提供することにある。
【課題を解決するための手段】
【００１０】
本発明のメモリカード用コネクタは、第一メモリカードを挿脱可能な第一収納部を有しかつ正方形または矩形をなす第一ハウジング、及び該第一収納部に挿入した上記第一メモリカードの端子と電気的に導通する第一コンタクトを有する第一コネクタと、第二メモリカードを挿脱可能な第二収納部を有しかつ正方形または矩形をなす第二ハウジング、及び該第二収納部に挿入した上記第二メモリカードの端子と電気的に導通する第二コンタクトを有する第二コネクタと、を備え、上記第一コネクタと上記第二コネクタを互いの厚み方向に重ねたコネクタにおいて、上記第一コンタクトが、上記厚み方向に見たときに該第一ハウジングの一つの側面である第一側面の外周側に位置し、かつ回路基板に対して実装可能な第一テール部を備え、上記第二ハウジングが、上記厚み方向に見たときに上記第一側面とは別の箇所に位置する第二側面を有し、上記第二ハウジングが、上記厚み方向に見たときに上記第二側面の外周側に位置し、かつ上記回路基板に対して実装可能な第二テール部を備えることを特徴としている。
【００１１】
上記第二側面が、上記厚み方向に見たときに上記第一側面と直交する側面であってもよい。
【００１２】
上記回路基板、上記第一コネクタ、及び上記第二コネクタの順で当該三部材を重ね、上記第一収納部及び上記第二収納部が、上記第一ハウジング及び上記第二ハウジングの同じ方向に位置する側面に形成した、上記第一メモリカードと上記第二メモリカードをそれぞれ挿脱するための開口部を有し、上記第一コネクタが、上記厚み方向に見たときに上記開口部とは別の箇所に位置する上記第一側面を有し、上記第二コネクタが、上記厚み方向に見たときに上記開口部及び上記第一側面とは別の箇所に位置する一対の上記第二側面を有してもよい。
【００１３】
上記第一ハウジングと上記第二ハウジングに、互いに係合することにより上記第一コネクタと上記第二コネクタを重ねた状態に保持するロック手段を設けてもよい。
【発明の効果】
【００１４】
本発明のメモリカード用コネクタは、第一コネクタの第一コンタクトの第一テール部が、コネクタの厚み方向に見たときに第一ハウジングの一つの側面である第一側面の外周側に位置する一方で、第二コネクタの第二コンタクトの第二テール部は、コネクタの厚み方向に見たときに上記第一側面とは別の箇所に位置する第二側面の外周側に位置する。
従って、第一テール部どうしの間隔（ピッチ）及び第二テール部どうしの間隔を広くすることが可能である。そのため、画像認識手段による第一テール部と第二テール部の画像認識（位置認識）が容易になるので、第一テール部及び第二テール部と回路基板の間ではんだ付け不良が生じ難い。
また、本発明では第一テール部及び第二テール部を回路基板上の別の箇所に実装するので（交互に並べないので）、第一テール部と第二テール部は互いに影響を受け難い。そのため第一テール部と第二テール部の間のアライメント調整が比較的容易になるので、はんだ付け不良が起こりにくい。
さらに、第一テール部と第二テール部を交互に並べないので、コネクタが小型の場合であっても、隣接する第一テール部どうしの間隔（ピッチ）及び隣接する第二テール部どうしの間隔が狭くならない。
そのため本発明によれば、メモリカード用コネクタが小型の場合であっても、第一テール部と第二テール部の回路基板に対する実装性は良好になる。
【００１５】
さらにコネクタの厚み方向に見たときに、第一コンタクトの第一テール部と第二コンタクトの第二テール部が互いに別の箇所に位置するので（第一テール部と第二テール部を交互に並べないので）、第一テール部と第二テール部の一方を複雑な形状（例えばクランク形状）に加工する必要がない。
【図面の簡単な説明】
【００１６】
【図１】本発明の一実施形態のコネクタと回路基板と第一及び第二メモリカードの前斜め上方から見た斜視図である。
【図２】コネクタと第一及び第二メモリカードの後斜め下方から見た斜視図である。
【図３】コネクタの前斜め上方から見た分解斜視図である。
【図４】コネクタの後斜め上方から見た分解斜視図である。
【図５】図１のＶ−Ｖ矢線に沿う断面図である。
【図６】第一コネクタの前斜め上方から見た斜視図である。
【図７】第一コネクタの前斜め上方から見た分解斜視図である。
【図８】第一金属部材の前斜め上方から見た斜視図である。
【図９】第一上部ハウジングを取り外したときの第一コネクタの平面図である。
【図１０】第一メモリカードを第一コネクタの内部に挿入し始めたときの第一上部ハウジング及び圧縮コイルバネを省略して示す平面図である。
【図１１】第一メモリカードが初期位置に位置するスライダ本体のカード当接部に当接したときの図１０と同様の平面図である。
【図１２】スライダが押込位置までスライドしたときの図１０と同様の平面図である。
【図１３】第二コネクタの前斜め上方から見た分解斜視図である。
【図１４】第二金属部材の前斜め上方から見た斜視図である。
【発明を実施するための形態】
【００１７】
以下、添付図面を参照しながら本発明の一実施形態について説明する。なお、以下の説明中の前後、上下、及び左右の方向は図中に記載した矢印の方向を基準としている。
本実施形態のメモリカード用コネクタ１０は、例えば携帯端末に対して取付可能で、かつｍｉｃｒｏＳＩＭカードからなる第一メモリカードＭＣａと第二メモリカードＭＣｂを挿脱可能なコネクタである。
メモリカード用コネクタ１０は大きな構成要素として第一コネクタ１１及び第二コネクタ７０を備えている。
【００１８】
まずは第一コネクタ１１の詳しい構造について説明する。
第一コネクタ１１は、第一下部ハウジング１５（第一ハウジング）、スライダ４０、カムバー５５、第一上部ハウジング６０（第一ハウジング）、及び圧縮コイルバネＳ１を具備している。
平面視略矩形の第一下部ハウジング１５は、第一金属部材１６と第一インシュレータ２６とを具備する一体成形品である。
図８に示すように第一金属部材１６は、８つの第一コンタクト１７〜２４を具備しており、第一コンタクト１７〜２４は第一接触片１７ａ〜２４ａと第一テール部１７ｂ〜２４ｂをそれぞれ一体的に備えている。第一テール部１７ｂ〜２４ｂの後端部は、その直前部位に比べて一段下方に位置する第一実装部１７ｃ〜２４ｃを構成している。
【００１９】
第一インシュレータ２６は図示を省略した金型内で第一金属部材１６に対してアウトサート成形を行うことにより第一金属部材１６と一体化したものであり、第一金属部材１６の下面（但し、第一テール部１７ｂ〜２４ｂを除く）と第一インシュレータ２６下面は同一平面上に位置している（図２、図５参照）。第一インシュレータ２６は、左右の側壁部２７と、第一下部ハウジング１５の底面部を構成する底面構成部２８と、カムバー支持部３２と、後部壁３４と、を備えている。後部壁３４の左右両端部には一対の位置決め用第一突起３４ａが上向きに突設してある。
底面構成部２８には、第一接触片１７ａ〜２４ａを露出させるための計８個のコンタクト露出孔２９が形成してある。第一下部ハウジング１５の左側部の前端部を構成するカムバー支持部３２の上面には下方に向かって凹むカムバー支持溝３３が形成してある。第一下部ハウジング１５の後端部を構成する後部壁３４の左側部には前方に向かって突出するバネ支持用突起３５が前向きに突設してある。さらに底面構成部２８の左側部は周辺部に比べて一段低いスライド溝３７を構成している。図示するように第一下部ハウジング１５の内部空間は左右の側壁部２７、底面構成部２８、及び後部壁３４によって囲まれた第一収納部３８となっている。左右の側壁部２７の外側面には前後一対の上部カバー係止突起３０が突設してある。さらに左右の側壁部２７の外側面及び後部壁３４の後面には計５つのコネクタ連結用突起３１が突設してある。また第一インシュレータ２６の前端の左右両角部には逃げ用凹部３９がそれぞれ凹設してある。さらに第一インシュレータ２６の前端の左側角部の上面には前側位置決め用突起３９ａが上向きに突設してある。
図示するように第一インシュレータ２６は平面視略矩形であり、左右の側壁部２７の外側面は互いに平行であり、後部壁３４の後面は左右の側壁部２７に対して直交している。そして第一コンタクト１７〜２４の第一テール部１７ｂ〜２４ｂ（第一実装部１７ｃ〜２４ｃ）は、平面視において（第一コネクタ１１の厚み方向に見たときに）後部壁３４の後面（第一側面）の外周側に位置する。
【００２０】
スライダ４０はスライダ本体４１と補強部材５０を一体化したものである。
耐熱性の合成樹脂材からなるスライダ本体４１は、前後方向に延び、かつ、スライド溝３７に対して自身の下端部がスライド自在に係合する直線状部４２と、直線状部４２の後端部から右側に突出する当接用端部４３と、を備えている。
直線状部４２の上面の前部には、平面視で略ハート形状をなすハートカム溝４４が凹設してある。ハートカム溝４４はハート形凸部４５の周囲に凹設した多数の段差を有する溝であり、その後部をなし前後方向に直線的に延びる初期係合部４４ａと、ハート形凸部４５の左側に位置する押し込み時通過部４４ｂと、ハート形凸部４５の前端部に位置する保持部４４ｃと、ハート形凸部４５の右側に位置する戻り時通過部４４ｄ、とを有している。
スライダ本体４１の後部の左半部には、後方に向かって延びる円柱状のバネ支持軸４６が突設してある。当接用端部４３の右端部には、平面視において前後方向に対して傾斜する平面であるカード当接部４９が形成してある。
金属製の補強部材５０は、スライダ本体４１の後部に固定状態で取り付けてある。
スライダ４０は、図９、図１０、及び図１１に示す初期位置と、図１２に示す押込位置との間を、スライド溝３７に沿って第一下部ハウジング１５に対して前後方向にスライド可能である。さらに、スライダ４０の後端部と後部壁３４の左側部との間には圧縮コイルバネＳ１が自由状態より縮んだ（弾性変形した）状態で配設してある。圧縮コイルバネＳ１の前部にはバネ支持軸４６が挿入してあり、圧縮コイルバネＳ１の後端部はバネ支持用突起３５と係止してある。そのため圧縮コイルバネＳ１からスライダ４０に対して常に前向きの付勢力が及ぶので、スライダ４０に対して圧縮コイルバネＳ１以外の外力が及ばないとき、スライダ４０は初期位置に位置する。
【００２１】
金属製のカムバー５５は、第一下部ハウジング１５とスライダ本体４１を連係する部材である。カムバー５５はその前後両端部に下向きに屈曲する前端係合突部５６と後端係合突部５７を有している。前端係合突部５６は第一下部ハウジング１５（カムバー支持部３２）のカムバー支持溝３３に対して回転可能に係合しており、後端係合突部５７はスライダ本体４１のハートカム溝４４に相対移動可能に係合している。
【００２２】
スライダ４０、カムバー５５、及び圧縮コイルバネＳ１を収納する第一下部ハウジング１５の上部は第一上部ハウジング６０によって覆われている。
金属板のプレス成形品である第一上部ハウジング６０の左右両側部には、前後一対の突片６１と、前後の突片６１の間に位置する第一導通用突片６３がそれぞれ下向きに突設してあり、突片６１には係止孔６２が穿設してある。第一上部ハウジング６０は、各突片６１の係止孔６２を第一下部ハウジング１５の対応する上部カバー係止突起３０に対して係合することにより第一下部ハウジング１５に対して装着してある。第一上部ハウジング６０の前側の左側角部近傍には、プレス成形時に成形されるカムバー付勢用板バネ６４が設けてある。カムバー付勢用板バネ６４は、その基端部（前端部）から後斜め下方に向かって延びる片持ち式の板バネであり、カムバー付勢用板バネ６４は自由状態において第一上部ハウジング６０の天井面より下方に位置している。そのためカムバー付勢用板バネ６４がカムバー５５を常に第一下部ハウジング１５の底面側（下向き）に向けて付勢するため、カムバー５５の前端係合突部５６とカムバー支持溝３３の係合状態、及び、後端係合突部５７とハートカム溝４４の係合状態が常に維持される。
【００２３】
続いて第二コネクタ７０の詳しい構造について説明する。
第二コネクタ７０は、第二下部ハウジング７５（第二ハウジング）、スライダ４０、カムバー５５、第二上部ハウジング９０（第二ハウジング）、及び圧縮コイルバネＳ１を具備しており、その平面形状は第一コネクタ１１と略同一である。
平面視略矩形の第二下部ハウジング７５は、第二金属部材７６と第二インシュレータ８６とを具備する一体成形品である。
図１４に示すように第二金属部材７６は、８つの第二コンタクト７７〜８４を具備しており、第二コンタクト７７〜８４は第二接触片７７ａ〜８４ａと第二テール部７７ｂ〜８４ｂをそれぞれ一体的に備えている。図示するように第二テール部７７ｂ、７８ｂ、８２ｂ、及び８１ｂは第二金属部材７６から左側に向かって延びており、第二テール部８０ｂ、７９ｂ、８４ｂ、８３ｂは第二金属部材７６から右側に向かって延びている。第二テール部７７ｂ〜８４ｂの先端部は、その隣接部に比べて一段下方に位置する第二実装部７７ｃ〜８４ｃを構成している。
【００２４】
第二インシュレータ８６は図示を省略した金型内で第二金属部材７６に対してアウトサート成形を行うことにより第二金属部材７６と一体化したものであり、左右の側壁部２７と、底面構成部２８と、コンタクト露出孔２９と、上部カバー係止突起３０と、カムバー支持部３２と、カムバー支持溝３３と、後部壁３４と、バネ支持用突起３５と、スライド溝３７と、収納部３８に相当する第二収納部８７を備えている。さらに後部壁３４の左右両端近傍部には一対の位置決め用第二突起３４ｂが後ろ向きに突設してある。また第二インシュレータ８６の下面前端の左側角部には前側位置決め用凹部８８が凹設してある。
図示するように第二インシュレータ８６は平面視略矩形であり、左右の側壁部２７の外側面は互いに平行であり、後部壁３４の後面は左右の側壁部２７に対して直交している。そして第二コンタクト７７、７８、８１、８２の第二テール部７７ｂ、７８ｂ、８１ｂ、８２ｂ（第二実装部７７ｃ、７８ｃ、８１ｃ、８２ｃ）は、平面視において（第二コネクタ７０の厚み方向に見たときに）左側の側壁部２７の外側面（第二側面）の外周側に位置する。一方、第二コンタクト７９、８０、８３、８４の第二テール部７９ｂ、８０ｂ、８３ｂ、８４ｂ（第二実装部７９ｃ、８０ｃ、８３ｃ、８４ｃ）は、平面視において（第二コネクタ７０の厚み方向に見たときに）右側の側壁部２７の外側面（第二側面）の外周側に位置する。
第二下部ハウジング７５には、スライダ４０、カムバー５５、及び圧縮コイルバネＳ１が第一下部ハウジング１５と同じ態様で取り付けてある。
【００２５】
スライダ４０、カムバー５５、及び圧縮コイルバネＳ１を収納する第二下部ハウジング７５の上部は第二上部ハウジング９０によって覆われている。
金属板のプレス成形品である第二上部ハウジング９０の左右両側部には、前後一対の突片６１と、前後の突片６１の間に位置する前後一対のコネクタ連結用突片９１と、前後のコネクタ連結用突片９１の間に位置する第二導通用突片９３がそれぞれ下向きに突設してある。コネクタ連結用突片９１にはコネクタ連結孔９２が穿設してある。さらに第二上部ハウジング９０の左右両側部の前端部には、突片６１、コネクタ連結用突片９１、及び第二導通用突片９３より下方まで延びる接地導通用突片９４が下向きに突設してあり、接地導通用突片９４の先端部には内向き水平に延びる接地用テール部９５が形成してある。第二上部ハウジング９０は、各突片６１の係止孔６２を第二下部ハウジング７５の対応する上部カバー係止突起３０に対して係合することにより、第二下部ハウジング７５に対して装着してある。第二上部ハウジング９０を第二下部ハウジング７５に装着すると、第二コンタクト７７〜８４の第二実装部７７ｃ〜８４ｃと各接地導通用突片９４の接地用テール部９５が略同一平面上に位置する。第二上部ハウジング９０のカムバー付勢用板バネ６４も自由状態において第二上部ハウジング９０の天井面より下方に位置している。そのためカムバー付勢用板バネ６４がカムバー５５を常に第二下部ハウジング７５の底面側（下向き）に向けて付勢するため、カムバー５５の前端係合突部５６とカムバー支持溝３３の係合状態、及び、後端係合突部５７とハートカム溝４４の係合状態が常に維持される。
【００２６】
以上説明した第一コネクタ１１と第二コネクタ７０は、第一コネクタ１１の上面に第二コネクタ７０を被せ、左右の位置決め用第一突起３４ａの内側面に左右の位置決め用第二突起３４ｂの外側面を当接させると共に前側位置決め用凹部８８に対して前側位置決め用突起３９ａを嵌合させ、さらに第二コネクタ７０の前面、後面、及び左右両側面の位置を第一コネクタ１１の前面、後面、及び左右両側面とそれぞれ一致させた状態で（第一コネクタ１１の前面、後面、及び左右両側面とそれぞれ平行にし）、第二上部ハウジング９０の各コネクタ連結用突片９１のコネクタ連結孔９２を第一下部ハウジング１５の対応するコネクタ連結用突起３１と係合させることにより互いに一体化することが可能であり、一体化することによりメモリカード用コネクタ１０が完成する。第一コネクタ１１と第二コネクタ７０を一体化すると、第二コネクタ７０の第二インシュレータ８６の下面が第一コネクタ１１の第一上部ハウジング６０の上面に接触する。但し、図５に示すように第二コネクタ７０の第二金属部材７６の第二コンタクト７７〜８４を除く部分は第二インシュレータ８６の内部に位置するので（第二インシュレータ８６の下面において露出しないので）、第二金属部材７６と第一上部ハウジング６０が電気的に短絡することはない。
また第二コネクタ７０の左右の第二導通用突片９３が、第一コネクタ１１の左右の第一導通用突片６３に対して外側からそれぞれ係合（接触）する。
さらに、左右の接地導通用突片９４が左右の逃げ用凹部３９内に位置し、第二コネクタ７０の第二コンタクト７７〜８４の第二実装部７７ｃ〜８４ｃ及び各接地導通用突片９４の接地用テール部９５が、第一コネクタ１１の第一コンタクト１７〜２４の第一実装部１７ｃ〜２４ｃと略同一平面上に位置する。
【００２７】
メモリカード用コネクタ１０は、回路基板ＣＢ（図１、図５の仮想線参照）の上面（回路形成面）に実装する。具体的には、メモリカード用コネクタ１０の上方に位置する吸引手段（図示略）によって第二上部ハウジング９０の上面を吸着し、吸引手段を上方へ移動させることによりメモリカード用コネクタ１０を一旦上方へ移動させる。そして該吸引手段によりコネクタ１０を回路基板ＣＢの回路パターン（図示略）上方に移動させた後に、画像認識手段（図示略）によって第一コンタクト１７〜２４の第一実装部１７ｃ〜２４ｃ及び第二コンタクト７７〜８４の第二実装部７７ｃ〜８４ｃの位置を確認しながら、第一コンタクト１７〜２４の第一実装部１７ｃ〜２４ｃ及び第二コンタクト７７〜８４の第二実装部７７ｃ〜８４ｃを回路基板ＣＢ上の回路パターンに塗布したはんだペースト上に載置し、さらに各接地用テール部９５を回路基板ＣＢ上の接地パターン（図示略）に塗布したはんだペースト上に載置する。そしてリフロー炉において各はんだペーストを加熱溶融（リフロー）し、第一実装部１７ｃ〜２４ｃ、第二実装部７７ｃ〜８４ｃ、及び接地用テール部９５を上記各パターンにはんだ付けする。
【００２８】
次に以上構成のメモリカード用コネクタ１０に第一メモリカードＭＣａと第二メモリカードＭＣｂを挿脱するときの動作について説明する。
平面視略矩形をなす第一メモリカードＭＣａと第二メモリカードＭＣｂの下面には８つの端子ＭＣ１が形成してある。また第一メモリカードＭＣａと第二メモリカードＭＣｂの４つの角部のうちの一つ（左後方の角部）は、当該角部を通る対角線に対して略直交する直線によって切り落とされた（切り欠かれた）切断角部ＭＣ２を構成している。
【００２９】
第一コネクタ１１に第一メモリカードＭＣａを挿入していない状態においては、圧縮コイルバネＳ１の付勢力によってスライダ４０は初期位置に位置し、さらにカムバー５５の後端係合突部５７がハートカム溝４４の初期係合部４４ａに係合する（図９〜図１１参照）。
この状態で正規姿勢（端子ＭＣ１が下方に位置し、左側後方の角部が切断角部ＭＣ２となる姿勢）とした第一メモリカードＭＣａを第一コネクタ１１の第一収納部３８の前面開口部から第一収納部３８内に挿入し（図１０参照）、第一メモリカードＭＣａをさらに後方に押し込むと、さらに切断角部ＭＣ２がスライダ本体４１（当接用端部４３）のカード当接部４９に当接するので、第一メモリカードＭＣａとスライダ４０が一体化する（図１１参照）。
【００３０】
この状態から第一メモリカードＭＣａをさらに後方に押圧すると、スライダ４０が圧縮コイルバネＳ１の付勢力に抗して（圧縮コイルバネＳ１を圧縮方向に弾性変形させながら。図１２では圧縮コイルバネＳ１の図示は省略）後方にスライドするので、初期係合部４４ａの中央部に係合していたカムバー５５の後端係合突部５７が初期係合部４４ａの前部及び押し込み時通過部４４ｂを後方に向かって移動する（初期係合部４４ａの前部と押し込み時通過部４４ｂに対して順に係合する）。そして、カムバー５５の後端係合突部５７が押し込み時通過部４４ｂの前端部（ハート形凸部４５の前方に位置する部分）まで移動したときに、スライダ４０は押込位置に到達する（図１２参照）。
スライダ４０が押込位置に到達した後に第一メモリカードＭＣａに対する後方への押圧力を解除すると、圧縮コイルバネＳ１の付勢力によって前方に押圧された（押し戻された）スライダ本体４１の保持部４４ｃがカムバー５５の後端係合突部５７に対して係合するので、スライダ４０は押込位置に保持される（スライダ４０の前方へのスライドが規制される）。スライダ４０が押込位置に到達すると、第一メモリカードＭＣａの各端子ＭＣ１が対応する第一コンタクト１７〜２４（第一接触片１７ａ〜２４ａ）とそれぞれ接触するので、第一コンタクト１７〜２４（第一実装部１７ｃ〜２４ｃ）を介して、第一コネクタ１１に挿入した第一メモリカードＭＣａと回路基板ＣＢが電気的に導通する。
【００３１】
スライダ４０が押込位置に保持された状態で、第一メモリカードＭＣａを再度圧縮コイルバネＳ１の付勢力に抗して後方に押し込んだ後にカードＭＣに対する後方への押圧力を解除すると、圧縮コイルバネＳ１による前向きの付勢力により後端係合突部５７が保持部４４ｃから後方に離れた後に戻り時通過部４４ｄ側に移動し（係合し）、戻り時通過部４４ｄを通って初期係合部４４ａの中央部まで自動的に移動する。従って、スライダ４０は初期位置に復帰する（図１１参照）。そのため第一メモリカードＭＣａを手で掴んでメモリカード用コネクタ１０から前方に引き出すことが可能になる。
【００３２】
第二コネクタ７０の内部構造は第一コネクタ１１と同一なので（第二下部ハウジング７５にはスライダ４０、カムバー５５、及び圧縮コイルバネＳ１が第一下部ハウジング１５と同じ態様で取り付けてあるので）、第二コネクタ７０に対して第二メモリカードＭＣｂを第一コネクタ１１と同じ要領で挿脱可能である。
【００３３】
以上説明したように本実施形態のメモリカード用コネクタ１０は、上下に重ねた第一コネクタ１１と第二コネクタ７０を具備しているので、メモリカード用コネクタ１０に対して第一メモリカードＭＣａと第二メモリカードＭＣｂを接続可能である。そのため、携帯端末に内蔵させたメモリカード用コネクタ１０に第一メモリカードＭＣａ（ｍｉｃｒｏＳＩＭカード）と第二メモリカードＭＣｂ（ｍｉｃｒｏＳＩＭカード）を挿入すれば、一つの携帯端末で（番号が異なる）２つの電話番号を使用可能になる。
【００３４】
そして、第一コネクタ１１の第一コンタクト１７〜２４の第一テール部１７ｂ〜２４ｂ（第一実装部１７ｃ〜２４ｃ）が、第一コネクタ１１の厚み方向（上下方向）に見たときに第一下部ハウジング１５の一つの側面である第一側面（後部壁３４の後面）の外周側（後方）に位置する一方で、第二コネクタ７０の第二コンタクト７７〜８４の第二テール部７７ｂ〜８４ｂ（第二実装部７７ｃ〜８４ｃ）は、第二コネクタ７０の厚み方向（上下方向）に見たときに上記第一側面とは別の箇所（方向）に位置する第二側面（左右両側の側壁部２７の外側面）の外周側（左側の側壁部２７の外側面の左側、右側の側壁部２７の外側面の右側）に位置する。
従って、第一テール部１７ｂ〜２４ｂ（第一実装部１７ｃ〜２４ｃ）どうしの間隔（ピッチ）及び第二テール部７７ｂ〜８４ｂ（第二実装部７７ｃ〜８４ｃ）どうしの間隔を広くすることが可能である。そのため、第一テール部１７ｂ〜２４ｂと第二テール部７７ｂ〜８４ｂの画像認識（位置認識）が容易になり、さらには隣接するテール部間でのはんだによる短絡を防止できるので、第一実装部１７ｃ〜２４ｃ及び第二実装部７７ｃ〜８４ｃと回路基板ＣＢの間ではんだ付け不良や短絡が生じ難い。
また、第一テール部１７ｂ〜２４ｂ（第一実装部１７ｃ〜２４ｃ）及び第二テール部７７ｂ〜８４ｂ（第二実装部７７ｃ〜８４ｃ）を回路基板Ｂ上の別の箇所に実装するので（交互に並べないので）、第一テール部１７ｂ〜２４ｂと第二テール部７７ｂ〜８４ｂは互いに影響を受け難い。そのため第一テール部１７ｂ〜２４ｂと第二テール部７７ｂ〜８４ｂの間のアライメント調整が比較的容易になるので、はんだ付け不良が起こりにくい。
さらに、第一テール部１７ｂ〜２４ｂと第二テール部７７ｂ〜８４ｂを交互に並べないので、メモリカード用コネクタ１０が小型の場合であっても、隣接する第一テール部１７ｂ〜２４ｂどうしの間隔（ピッチ）及び隣接する第二テール部７７ｂ〜８４ｂどうしの間隔が狭くならない。
そのため本実施形態によれば、メモリカード用コネクタ１０が小型の場合であっても、第一実装部１７ｃ〜２４ｃと第二実装部７７ｃ〜８４ｃの回路基板ＣＢに対する実装性は良好である。
【００３５】
さらにメモリカード用コネクタ１０の厚み方向に見たときに、第一コンタクト１７〜２４の第一テール部１７ｂ〜２４ｂ（第一実装部１７ｃ〜２４ｃ）と第二コンタクト７７〜８４の第二テール部７７ｂ〜８４ｂ（第二実装部７７ｃ〜８４ｃ）が互いに別の箇所に位置するので（第一テール部１７ｂ〜２４ｂと第二テール部７７ｂ〜８４ｂを前後方向または左右方向に交互に並べないので）、第一テール部１７ｂ〜２４ｂと第二テール部７７ｂ〜８４ｂの一方を複雑な形状（例えばクランク形状）に加工する必要がない。
【００３６】
さらに第二コネクタ７０の左側の第二テール部７７ｂ、７８ｂ、８２ｂ、８１ｂと右側の第二テール部８０ｂ、７９ｂ、８３ｂ、８４ｂが、第一コネクタ１１の左右両側に位置し（第二コネクタ７０が第一コネクタ１１を抱え込んでおり）かつ回路基板ＣＢの回路パターンにはんだ付けされる（固定される）。すなわち第二コネクタ７０（左側の第二テール部７７ｂ、７８ｂ、８２ｂ、８１ｂと右側の第二テール部８０ｂ、７９ｂ、８３ｂ、８４ｂ）は第一コネクタ１０（第一実装部１７ｃ〜２４ｃ）とは別の二箇所で回路基板ＣＢに対して実装されるので、第二コネクタ７０の回路基板ＣＢに対する実装強度は高い。そのため、第一コネクタ１１に第一メモリカードＭＣａを過剰な力で挿入あるいは抜去したり、又はロック手段を省略した場合であっても、（第一コネクタ１１単体での実装時に比べ）第一コネクタ１１が回路基板ＣＢから剥離するおそれは小さい。
また、第一コネクタ１１と第二コネクタ７０をロック手段（コネクタ連結用突起３１とコネクタ連結孔９２）によって一体化した状態で、メモリカード用コネクタ１０の第一コンタクト１７〜２４の第一テール部１７ｂ〜２４ｂ（第一実装部１７ｃ〜２４ｃ）と第二コンタクト７７〜８４の第二テール部７７ｂ〜８４ｂ（第二実装部７７ｃ〜８４ｃ）を回路基板ＣＢの回路パターンにはんだ付けできるので、１回のはんだ付け作業によりメモリカード用コネクタ１０（第一コネクタ１１と第二コネクタ７０）を回路基板ＣＢに対して実装できる。
さらに第一上部ハウジング６０と第二上部ハウジング９０が第一導通用突片６３と第二導通用突片９３を介して接続し、かつ接地導通用突片９４（接地用テール部９５）が回路基板ＣＢ上の接地パターンと接地導通するので、第一コンタクト１７〜２４及び第二コンタクト７７〜８４に外部ノイズが入ったり、第一コンタクト１７〜２４及び第二コンタクト７７〜８４のノイズが外部に漏れるのを防止できる。さらに、第一メモリカードＭＣａや第二メモリカードＭＣｂを挿抜する作業者に静電気が帯電してる場合、この静電気を第一上部ハウジング６０及び第二上部ハウジング９０を介して回路基板ＣＢ上の接地パターンに落とすことが可能となるので、コネクタ１０が搭載される機器や第一メモリカードＭＣａ及び第二メモリカードＭＣｂが静電気によって破損するのを防止できる。
【００３７】
以上、本発明を上記実施形態に基づいて説明したが、本発明は上記実施形態に限定されるものではなく、様々な変形を施しながら実施可能である。
例えば、ｍｉｃｏＳＩＭカード（第一メモリカードＭＣａと第二メモリカードＭＣｂ）以外のメモリカード（例えば、ｍｉｃｒｏＳＤカード、ＳＩＭカードなど）を挿脱するためのメモリカード用コネクタに本発明を適用してもよい。
さらに、メモリカード用コネクタ１０を携帯端末以外の機器（例えば、ＰＤＡ、パーソナルコンピュータ、デジタルカメラ、デジタルビデオカメラ等）に実装してもよい。
【００３８】
さらに、第一コネクタ１１（第一下部ハウジング１５と第一上部ハウジング６０）と第二コネクタ７０（第二下部ハウジング７５と第二上部ハウジング９０）は平面視矩形ではなく、平面視正方形であってもよい。
また第一コネクタ１１（第一下部ハウジング１５と第一上部ハウジング６０）と第二コネクタ７０（第二下部ハウジング７５と第二上部ハウジング９０）を平面視矩形と平面視正方形のいずれにする場合も、４つの角部は厳密な直角であってもよいし、又は上記実施形態のように直角でなくてもよい。
さらに第一コネクタ１１（第一下部ハウジング１５と第一上部ハウジング６０）と第二コネクタ７０（第二下部ハウジング７５と第二上部ハウジング９０）の全体寸法を変えてもよい。例えば、第一コネクタ１１（第一下部ハウジング１５と第一上部ハウジング６０）に比べて第二コネクタ７０（第二下部ハウジング７５と第二上部ハウジング９０）を小さくしてもよい。但し、この場合も第一コネクタ１１（第一下部ハウジング１５と第一上部ハウジング６０）と第二コネクタ７０（第二下部ハウジング７５と第二上部ハウジング９０）の４つの側面どうしを互いに平行にする。
【００３９】
また第一コネクタ１１の各第一テール部（第一実装部）を第一ハウジングの左方と右方に位置させ、かつ、第二コネクタ７０の各第二テール部（第二実装部）を第二ハウジングの後方にのみ位置させてもよい。
第一コネクタ１１を上記実施形態のままとした上で、第二コネクタ７０の各第二テール部（第二実装部）を第二ハウジングの左方のみ又は右方のみに位置させてもよい。また、第一コネクタ１１の各第一テール部（第一実装部）を第一ハウジングの左方のみ又は右方のみに位置させ、かつ、第二コネクタ７０の各第二テール部（第二実装部）を第二ハウジングの後方にのみ位置させてもよい。
【００４０】
さらに第一コネクタ１１と第二コネクタ７０の少なくとも一方からスライダ４０、カムバー５５、及び圧縮コイルバネＳ１を省略してもよい。この場合は、さらにスライダ４０、カムバー５５、及び圧縮コイルバネＳ１の代わりの部品を設けてもよいし、設けなくてもよい。
代わりの部品の一例としては、例えば、ハウジング内にスライド自在に設けたトレイがある。このトレイは、ハウジングの内部から外側に引き出されたときにメモリカードを載置可能であり、メモリカードを載置した状態でハウジング内に押し込むことが可能である。トレイをハウジング内に押し込むと、トレイの底部に形成した貫通孔を通してメモリカードの端子とハウジングに固定したコンタクトが接触する。
【００４１】
また、第一コネクタ１１側にコネクタ連結孔９２に相当する孔を設けて、第二コネクタ７０側にコネクタ連結用突起３１に相当する突起を形成してもよい。
また第一コネクタ１１と第二コネクタ７０の少なくとも一方のハウジングを一部材により構成してもよい。
【符号の説明】
【００４２】
１０    メモリカード用コネクタ
１１    第一コネクタ
１５    第一下部ハウジング（第一ハウジング）
１６    第一金属部材
１７〜２４  第一コンタクト
１７ａ〜２４ａ  第一接触片
１７ｂ〜２４ｂ  第一テール部
１７ｃ〜２４ｃ  第一実装部
２６    第一インシュレータ
２７    側部壁（第二側面）
２８    底面構成部
２９    コンタクト露出孔
３０    上部カバー係止突起
３１    コネクタ連結用突起（ロック手段）
３２    カムバー支持部
３３    カムバー支持溝
３４    後部壁（第一側面）
３４ａ  位置決め用第一突起
３４ｂ  位置決め用第二突起
３５    バネ支持用突起
３７    スライド溝
３８    第一収納部
３９    逃げ用凹部
３９ａ  前側位置決め用突起
４０    スライダ
４１    スライダ本体
４２    直線状部
４３    当接用端部
４４    ハートカム溝
４４ａ  初期係合部
４４ｂ  押し込み時通過部
４４ｃ  保持部
４４ｄ  戻り時通過部
４５    ハート形凸部
４６    バネ支持軸
４９    カード当接部
５０    補強部材
５５    カムバー
５６    前端係合突部
５７    後端係合突部
６０    第一上部ハウジング（第一ハウジング）
６１    突片
６２    係止孔
６３    第一導通用突片
６４    カムバー付勢用板バネ
７０    第二コネクタ
７５    第二下部ハウジング（第二ハウジング）
７６    第二金属部材
７７〜８４  第二コンタクト
７７ａ〜８４ａ  第二接触片
７７ｂ〜８４ｂ  第二テール部
７７ｃ〜８４ｃ  第二実装部
８６    第二インシュレータ
８７    第二収納部
８８    前側位置決め用凹部
９０    第二上部ハウジング（第二ハウジング）
９１    コネクタ連結用突片
９２    コネクタ連結孔（ロック手段）
９３    第二導通用突片
９４    接地導通用突片
９５    接地用テール部
ＣＢ    回路基板
ＭＣａ  第一メモリカード（ｍｉｃｒｏＳＩＭカード）
ＭＣｂ  第二メモリカード（ｍｉｃｒｏＳＩＭカード）
ＭＣ１  端子
ＭＣ２  切断角部
Ｓ１    圧縮コイルバネ
【図１】
2014146432.tif 000003
【図２】
2014146432.tif 000004
【図３】
2014146432.tif 000005
【図４】
2014146432.tif 000006
【図５】
2014146432.tif 000007
【図６】
2014146432.tif 000008
【図７】
2014146432.tif 000009
【図８】
2014146432.tif 000010
【図９】
2014146432.tif 000011
【図１０】
2014146432.tif 000012
【図１１】
2014146432.tif 000013
【図１２】
2014146432.tif 000014
【図１３】
2014146432.tif 000015
【図１４】
2014146432.tif 000016
【手続補正書】
【提出日】平成25年12月26日(2013.12.26)
【手続補正１】
【補正対象書類名】明細書
【補正対象項目名】００１０
【補正方法】変更
【補正の内容】
【００１０】
本発明のメモリカード用コネクタは、第一メモリカードを挿脱可能な第一収納部を有しかつ正方形または矩形をなす第一ハウジング、及び該第一収納部に挿入した上記第一メモリカードの端子と電気的に導通する第一コンタクトを有する第一コネクタと、第二メモリカードを挿脱可能な第二収納部を有しかつ正方形または矩形をなす第二ハウジング、及び該第二収納部に挿入した上記第二メモリカードの端子と電気的に導通する第二コンタクトを有する第二コネクタと、を備え、上記第一コネクタと上記第二コネクタを互いの厚み方向に重ねたコネクタにおいて、上記第一コンタクトが、上記厚み方向に見たときに該第一ハウジングの一つの側面である第一側面の外周側に位置し、かつ回路基板に対して実装可能な第一テール部を備え、上記第二ハウジングが、上記厚み方向に見たときに上記第一側面とは別の箇所に位置する第二側面を有し、上記第二コンタクトが、上記厚み方向に見たときに上記第二側面の外周側に位置し、かつ上記回路基板に対して実装可能な第二テール部を備えることを特徴としている。
【手続補正２】
【補正対象書類名】明細書
【補正対象項目名】００１２
【補正方法】変更
【補正の内容】
【００１２】
上記回路基板、上記第一コネクタ、及び上記第二コネクタの順で当該三部材を重ね、上記第一収納部及び上記第二収納部が、上記第一ハウジング及び上記第二ハウジングの同じ方向に位置する側面に形成した、上記第一メモリカードと上記第二メモリカードをそれぞれ挿脱するための開口部を有し、上記第一ハウジングが、上記厚み方向に見たときに上記開口部とは別の箇所に位置する上記第一側面を有し、上記第二ハウジングが、上記厚み方向に見たときに上記開口部及び上記第一側面とは別の箇所に位置する一対の上記第二側面を有してもよい。
【手続補正３】
【補正対象書類名】明細書
【補正対象項目名】００３６
【補正方法】変更
【補正の内容】
【００３６】
さらに第二コネクタ７０の左側の第二テール部７７ｂ、７８ｂ、８２ｂ、８１ｂと右側の第二テール部８０ｂ、７９ｂ、８３ｂ、８４ｂが、第一コネクタ１１の左右両側に位置し（第二コネクタ７０が第一コネクタ１１を抱え込んでおり）かつ回路基板ＣＢの回路パターンにはんだ付けされる（固定される）。すなわち第二コネクタ７０（左側の第二テール部７７ｂ、７８ｂ、８２ｂ、８１ｂと右側の第二テール部８０ｂ、７９ｂ、８３ｂ、８４ｂ）は第一コネクタ１１（第一実装部１７ｃ〜２４ｃ）とは別の二箇所で回路基板ＣＢに対して実装されるので、第二コネクタ７０の回路基板ＣＢに対する実装強度は高い。そのため、第一コネクタ１１に第一メモリカードＭＣａを過剰な力で挿入あるいは抜去したり、又はロック手段を省略した場合であっても、（第一コネクタ１１単体での実装時に比べ）第一コネクタ１１が回路基板ＣＢから剥離するおそれは小さい。
また、第一コネクタ１１と第二コネクタ７０をロック手段（コネクタ連結用突起３１とコネクタ連結孔９２）によって一体化した状態で、メモリカード用コネクタ１０の第一コンタクト１７〜２４の第一テール部１７ｂ〜２４ｂ（第一実装部１７ｃ〜２４ｃ）と第二コンタクト７７〜８４の第二テール部７７ｂ〜８４ｂ（第二実装部７７ｃ〜８４ｃ）を回路基板ＣＢの回路パターンにはんだ付けできるので、１回のはんだ付け作業によりメモリカード用コネクタ１０（第一コネクタ１１と第二コネクタ７０）を回路基板ＣＢに対して実装できる。
さらに第一上部ハウジング６０と第二上部ハウジング９０が第一導通用突片６３と第二導通用突片９３を介して接続し、かつ接地導通用突片９４（接地用テール部９５）が回路基板ＣＢ上の接地パターンと接地導通するので、第一コンタクト１７〜２４及び第二コンタクト７７〜８４に外部ノイズが入ったり、第一コンタクト１７〜２４及び第二コンタクト７７〜８４のノイズが外部に漏れるのを防止できる。さらに、第一メモリカードＭＣａや第二メモリカードＭＣｂを挿抜する作業者に静電気が帯電してる場合、この静電気を第一上部ハウジング６０及び第二上部ハウジング９０を介して回路基板ＣＢ上の接地パターンに落とすことが可能となるので、コネクタ１０が搭載される機器や第一メモリカードＭＣａ及び第二メモリカードＭＣｂが静電気によって破損するのを防止できる。
【手続補正４】
【補正対象書類名】特許請求の範囲
【補正対象項目名】全文
【補正方法】変更
【補正の内容】
【特許請求の範囲】
【請求項１】
第一メモリカードを挿脱可能な第一収納部を有しかつ正方形または矩形をなす第一ハウジング、及び該第一収納部に挿入した上記第一メモリカードの端子と電気的に導通する第一コンタクトを有する第一コネクタと、
第二メモリカードを挿脱可能な第二収納部を有しかつ正方形または矩形をなす第二ハウジング、及び該第二収納部に挿入した上記第二メモリカードの端子と電気的に導通する第二コンタクトを有する第二コネクタと、
を備え、
上記第一コネクタと上記第二コネクタを互いの厚み方向に重ねたコネクタにおいて、
上記第一コンタクトが、上記厚み方向に見たときに該第一ハウジングの一つの側面である第一側面の外周側に位置し、かつ回路基板に対して実装可能な第一テール部を備え、
上記第二ハウジングが、上記厚み方向に見たときに上記第一側面とは別の箇所に位置する第二側面を有し、
上記第二コンタクトが、上記厚み方向に見たときに上記第二側面の外周側に位置し、かつ上記回路基板に対して実装可能な第二テール部を備えることを特徴とするメモリカード用コネクタ。
【請求項２】
請求項１記載のメモリカード用コネクタにおいて、
上記第二側面が、上記厚み方向に見たときに上記第一側面と直交する側面であるメモリカード用コネクタ。
【請求項３】
請求項１または２記載のメモリカード用コネクタにおいて、
上記回路基板、上記第一コネクタ、及び上記第二コネクタの順で当該三部材を重ね、
上記第一収納部及び上記第二収納部が、上記第一ハウジング及び上記第二ハウジングの同じ方向に位置する側面に形成した、上記第一メモリカードと上記第二メモリカードをそれぞれ挿脱するための開口部を有し、
上記第一ハウジングが、上記厚み方向に見たときに上記開口部とは別の箇所に位置する上記第一側面を有し、
上記第二ハウジングが、上記厚み方向に見たときに上記開口部及び上記第一側面とは別の箇所に位置する一対の上記第二側面を有するメモリカード用コネクタ。
【請求項４】
請求項１から３のいずれか１項記載のメモリカード用コネクタにおいて、
上記第一ハウジングと上記第二ハウジングに、互いに係合することにより上記第一コネクタと上記第二コネクタを重ねた状態に保持するロック手段を設けたメモリカード用コネクタ。ることが可能である。
【手続補正５】
【補正対象書類名】図面
【補正対象項目名】図２
【補正方法】変更
【補正の内容】
【図２】
2014146432.tif 000017
【手続補正６】
【補正対象書類名】図面
【補正対象項目名】図４
【補正方法】変更
【補正の内容】
【図４】
2014146432.tif 000018
【手続補正７】
【補正対象書類名】図面
【補正対象項目名】図１１
【補正方法】変更
【補正の内容】
【図１１】
2014146432.tif 000019
【手続補正８】
【補正対象書類名】図面
【補正対象項目名】図１２
【補正方法】変更
【補正の内容】
【図１２】
2014146432.tif 000020